(57)【要約】  ファクシミリのシステムと方法が伝送された画像情報の認証を提供し、その認証が署名用ページの形になっている。認証装置は伝送中に送信装置、受信装置、その両方、又は、遠方の位置で認証情報を計算する。署名用ページもその文書と共に伝送される。送信及び受信の装置がそれぞれ署名用ページを発生し、又は署名用ページの受信に応答した受取りの確認を発生する。認証の情報は公開・秘密のキー・ペアにより暗号化される。認証の情報はチェックサムの形を取れる。又、文書の別の領域に基づいて作成しうる。以前に発生した署名用ページが新たに発生した署名用ページと比較され、文書の内容又は認証を検証する。文書認証用署名は認証情報を示すために機械が読み取れる記号を含めて良い。【特許請求の範囲】
【請求項１】
文書に関連する情報に基づくデータの流れを発生するための装置、
該装置と関連する認証情報発生装置であって（ｉ）文書のデータの流れ又は（ｉｉ）データ流れ発生装置によるデータの流れの伝送と関連した少なくとも１個のパラメーターから得られる認証情報を生じるように動作する認証情報発生装置、
認証情報を記憶するのに適切なデータ流れ発生装置に関連する記憶媒体、
を有することを特徴とする文章伝送システムに用いるための装置。
【請求項２】
データ流れ発生装置がファクシミリ機械であることを特徴とする請求項１に基づく装置。
【請求項３】
データ流れ発生装置がコンピューターであることを特徴とする請求項１に基づく装置。
【請求項４】
記憶媒体が紙であることを特徴とする請求項１に基づく装置。
【請求項５】
記憶媒体が電子的、電磁的又はホログラフィックであることを特徴とする請求項１に基づく装置。
【請求項６】
データの流れが紙の文書から得られることを特徴とする請求項１に基づく装置。
【請求項７】
データの流れが電子文書から得られることを特徴とする請求項１に基づく装置。
【請求項８】
データの流れの部分に関連した複数の認証情報項目を生じるように認証情報発生装置が機能できることを特徴とする請求項１に基づく装置。
【請求項９】
データの流れが文書を代表することを特徴とする請求項１に基づく装置。
【請求項１０】
認証情報発生装置と関連しかつ認証情報を暗号化するように機能する暗号化機構を有することを特徴とする請求項１に基づく装置。
【請求項１１】
認証情報が、少なくとも１個のパラメーターの表示から成ることを特徴とする請求項１に基づく装置。
【請求項１２】
暗号化機構が、公開・秘密のキー・ペアを用いた認証情報を暗号化するように機能することを特徴とする請求項１０に基づく装置。
【請求項１３】
データ流れ発生装置が伝送装置であり、通信リンクにより伝送装置に接続している受信装置を有することを特徴とする請求項１に基づく装置。
【請求項１４】
伝送装置が、通信リンク上で受信装置に認証情報を伝送するように機能することを特徴とする請求項１３に基づく装置。
【請求項１５】
受信装置に関連した他の認証発生装置を有し、前記受信装置が、該他の発生装置により発生した認証情報を送信装置に伝送するように機能することを特徴とする請求項１３に基づく装置。
【請求項１６】
認証情報がチェックサムであることを特徴とする請求項１に基づく装置。
【請求項１７】
認証情報が暗号化された形態であることを特徴とする請求項１に基づく装置。
【請求項１８】
ＰＧＰ暗号化が認証情報を暗号化するのに用いられていることを特徴とする請求項１７に基づく装置。
【請求項１９】
Ｓ／ＭＩＭＥ暗号化が認証情報を暗号化するのに用いられることを特徴とする請求項１７に基づく装置。
【請求項２０】
認証情報が時刻又は日付のスタンプを含むことを特徴とする請求項１に基づく装置。
【請求項２１】
伝送装置が受信装置にトークンを送るように機能し、受信装置が伝送装置にトークンを送るように機能すると共に、
受信装置が伝送装置からのトークンを伝送装置に戻すように機能し、トークンが時刻又は日付の情報を含むことを特徴とする請求項１３に基づく装置。
【請求項２２】
認証情報の一部が、記憶媒体内に機械で読み取れる形式で供給されることを特徴とする請求項１に基づく装置。
【請求項２３】
文書の送信装置で電子画像を得る過程、
電子画像の１つ以上の内容及び電子画像の伝送に基づいて認証情報を計算する過程、
文書の送信装置と関連する記憶媒体内に認証情報を記憶する過程
を有する、ことを特徴とする文書伝送のための認証を与えるための方法。
【請求項２４】
記憶媒体が紙であることを特徴とする請求項２３に基づく方法。
【請求項２５】
認証情報の計算が電子画像の複数の部分で行われることを特徴とする請求項２３に基づく方法。
【請求項２６】
認証情報を暗号化する過程をさらに有することを特徴とする請求項２３に基づく方法。
【請求項２７】
暗号化が、公開・秘密のキー・ペア技術の使用を含むことを特徴とする請求項２６に基づく方法。
【請求項２８】
認証情報を受信装置に伝送する過程を有することを特徴とする請求項２３に基づく方法。
【請求項２９】
１つ以上の文書の送信又は受信をする装置で認証情報を計算する過程を有することを特徴とする請求項２３に基づく方法。
【請求項３０】
受信装置で計算した認証情報を送信装置に送る過程を有することを特徴とする請求項２９に基づく方法。
【請求項３１】
文書が電子画像であり、認証情報の計算過程が、電子画像又は電子画像の伝送に基づいてチェックサムを計算する過程を有することを特徴とする請求項２３に基づく方法。
【請求項３２】
認証情報が時刻と日付の情報を含むことを特徴とする請求項２３に基づく装置。
【請求項３３】
文書送信装置からのトークンを文書受信装置へ伝送する過程、
文書受信装置からのトークンを文書送信装置へ伝送する過程、
文書送信装置から送られたトークンを受取り、文書受信装置から文章送信装置へ戻す過
程、
トークンに時刻又は日付の情報を含める過程、
を有することを特徴とする請求項２３に基づく方法。
【請求項３４】
認証情報を記憶する過程が、機械が読み取れる符号を記憶媒体内に記憶させる過程を有することを特徴とする請求項２３に基づく方法。
【請求項３５】
文書の第一電子画像を得る過程、
伝送後に文書の第二電子画像を得る過程、
第一電子画像に関連した第一認証情報を計算する過程、
第二電子画像のための第二認証情報を計算する過程、
第一及び第二の認証情報を比較する過程、
を有することを特徴とする電子的に伝送された文書を認証するための方法。
【発明の詳細な説明】
【技術分野】
【０００１】
本発明は全体として、走査された又はデジタル化された画像に基づく伝送の認証に関していて、又、より特定すれば画像の形でファクシミリ伝送情報の認証に特に関している。
【背景技術】
【０００２】
伝送及び電子的通信の認証は重要な問題で、種々の用途でいくつかの方法が扱われている。例えば、暗号化がしばしばコンピューター・ネットワーク内で使用され、送信者と受信者のみが一定の通信の内容にアクセスできると信じられている認証技術を提供している。例えば、送信者が公開・秘密のキー・ペアの一部であるキーによって通信の暗号化を行い、通信リンク上の受信者に暗号化した情報を送る。受信者は公開・秘密のキー・ペアの他の部分を用いて、通信の暗号解読を行い、伝送された内容の検討を行う。あるときには、チェックサム又は時刻・日付スタンプのような認証のコード又は要素を通信と共に伝送される。コードは発信源を特定し、通信を受取った受信者が認証されていて、送信者が伝送したのと同じであることを確認するのに貢献する。電子画像のセキュリティも重要な問題で、無許可の複写に関する認証が関係する。典型的には、電子画像には「透かし」があり、画像と関連した情報の確実な表示を提供している。そのような関連情報には著者、所有者、時刻・日付の作成、特に画像等に関連した特別な特徴を含めることができる。透かしは画像の一部として見えないが、典型的には画像を含むファイルのデータ内に埋込まれた電子署名の形になっている。透かしの画像は静的で、伝送プロセスと関連する情報を反映しない。典型的には画像の透かしは、画像の知的所有権を確保し、又は、著作権、所有権等の請求に対して明確な支援を行う。
【０００３】
さらに、例えば、認証は、文書の２枚の電子複写の比較に含まれる問題でもある。典型的にはバイトごと、ワードごとのような単位ごとに電子文書を比較する。この種の比較及び認証は、典型的に、同一形式で、同じプログラム又はソフトウエアにより発生された２種の文書を想定している。即ち、認証は文書間の直接的電子的比較に基づいて行われる。この種の比較又は認証は特定の文書形態に固有の物で、画像の検査又は認証とは関連しない。さらに、この種の文書伝送及び通信リンクの認証を考慮しない。さらに、この種の文書比較は、電子形態の走査された文書又は画像のようなハード・コピーの画像ファイル上では直接機能しない。
【発明の開示】
【０００４】
本開示は特に通信リンク上を伝送されるときの紙のようなハード・コピー、又は、電子文書から得られる文書画像を認証するためのシステムと方法を提供する。システムと方法を適用しうる特別の場合は、ファクシミリ・システム内の通信リンク上のハード・コピー又は電子的発信源に基づく文書画像の伝送である。ファクシミリ伝送システムは、いくぶんユニークで、文書の送信者がオリジナル文書を保持し、その一方で、受信者が地理的に遠隔な場合伝送された画像から再構成されたハード・コピー又は電子文書を受取る。開示されたシステムと方法は、画像の送信者と受信者の両方のために、ハード・コピー又は電子文書の認証を行う。
【０００５】
本発明の実施例に基づくと、オリジナルのハード・コピー文書に基づく認証付きのファクシミリを送信し、受信するためのファクシミリ伝送のシステムと方法が提供される。伝送用ファクシミリ装置がハード・コピー文書と、伝送された画像の認証のために送信者が利用できる署名のページの電子画像を発生する。例えば、伝送用装置は伝送されるファクシミリ・データのパラメーターに部分的に基づく署名用ページを発生する。
【０００６】
開示されたシステムと方法の一側面に基づくと、受信用ファクシミリ装置が、例えば、受信用装置で受信した伝送されたデータに部分的に基づいて署名用ページを発生するので、署名用ページが送信又は受信用の装置とは無関係になる。受信装置で発生した署名用ページが、特に、署名用ページを発生した送信装置と関連して、受信した文書を認証する。署名用ページを発生した受信者は、受信文書又は情報に関連させた種々の証印を提供できる。例えば、受信装置により発生した署名用ページは時刻と日付の情報、送信装置又は機能の識別、及び、特定文書又は情報の伝送に固有の他の情報を含めることができる。
【０００７】
他の側面に基づくと、開示されたシステムと方法が、伝送された情報に基づいて送信装置で発生した署名用ページ、及び、受信した情報に基づき受信装置で発生した署名用ページを提供する。両方の署名用ページを設計により同じにも異なるようにもでき、又、送信者と受信者の間で交換できる。署名用ページは送信装置又は受信装置とは独立していて、それらを、送信装置と受信装置のハードウエアに依存せずに、又は、画像の伝送自体を超えたお互いの相互作用に依存せずに、発生しうる。代わりに、又は、追加的に、送信者が、送信者により発生された署名用ページを受信者に送ることができ、それを受信者が用いて受信者の署名用ページを発生する。その後、それを送信者に戻す。交換された署名用ページは、各ファクシミリ機械のために現地に存在する条件を反映して時刻と日付のスタンプのような情報を含めることができる。従って、各装置は例えば伝送が行われる時期と場所に関連した局部的情報を他方に送る。その現地情報は、装置が不正確な日付を有する場合で、伝送の確認を、及び、装置が感知した現地の状態を示す場合のように正確であることは必ずしも必要がない。
【０００８】
機能に基づくと、開示したシステムと方法はファクシミリ伝送の受取りを確認する。送信者により又は受信者により生じた署名用ページが、送信者又は受信者により示された時刻と日付のような伝送パラメーターだけでなく、伝送された内容を確認する。例えば、認証用署名は、画像の未使用領域又は余白のようなファクシミリの伝送内に埋込まれたページ又はコードの形としうる。追加的に、又は、代替的に、受信装置による受信の確認が認証用署名に組込まれる。開示されたシステムと方法のこの特徴に基づいて、受信の確認を、認証用署名を検査することにより、又は、記憶部内に維持されている電子形式の伝送に基づいて認証用署名を再生することにより行なえる。
【０００９】
一側面に基づくと、本開示は署名用ページの信憑性を検証するのに貢献するため、署名用ページのための検証項目を提供する。一実施例では、署名用ページがチェックサムのような検証用証印を含む。チェックサムは選択肢として他の情報を符号化し、又は、部分的に符号化する。暗号化のような種々の符号化技術を使用しうる。最初に伝送された情報に基づいて、他の記号又は証印を使用しうる。署名用ページのためのチェックサム又は他の証印を例えばバーコードのような機械が読み取れる記号の形にしうる。又、そのような形にする前に符号化しうる。
【００１０】
他の側面に基づいて、本開示は、公開・秘密のキー・ペアを用いることにより、ハード・コピー文書を代表する伝送を認証するためのシステムと方法を提供する。送信者及び（又は）受信者は秘密のキーを用いて署名用ページを発生する。署名用ページの認証を、秘密キーとペアになっている公開キーを用いて行なえる。開示したシステムと方法に基づき、署名用ページを自由に認証しうる。又、伝送された情報又は認証用署名の実際の発生源として送信者及び／又は受信者を設定する。
【００１１】
他の側面に基づいて、本開示は、電子的／デジタル的トークンを用いることにより、伝送内容と伝送時刻を相互の確認と検証をするためのシステムと方法を提供する。一実施例では、送信者は、送信者の現地時刻とその送信装置に関連した秘密キーを用いて発生した要素を含むトークンを伝送する。受信装置は、現地時間のスタンプと受信装置に関連した
秘密キーを用いて発生した要素を含むトークンを送信装置に伝送する。受信装置は送信装置からのトークンを含めることがある。送信装置は、認証用署名を生じるために、受信装置からのトークン、又は、組み合わせたトークンを用いる。認証用署名は送信者により用いられ、及び／又は、伝送確認のために受信者に伝送される。この例では、受信者は伝送された情報の受取りを拒否できない。さらに、トークンは、送信者と受信者の身元を、又、それぞれが伝送を生じたと信じられる時刻を確認するために使用しうる。
【００１２】
他の側面に基づいて、本開示は、同意又は承認の証印のような同意の明示と共に履行する場合のように、画像修正後に文書画像を認証するためのシステムと方法を提供している。そのような証印は受信者により例えばバイオメトリック署名又は個人の身元確認コード（ＰＩＣ）の形で供給される。画像文書履行の証印は、履行の有効性と拒絶不能を確認するのに役立つ時刻と日付又は他の表示も反映しうる。バイオメトリック署名又はＰＩＣのような同意又は承認の電子文書及び証印が、送信者に伝送される。もし、送信者が履行された文書の内容を送信者へ戻された時点で検証したいと希望する場合、最初に発生された認証用署名を用いて、文書の内容が変更されていないことを検証しうる。履行の証印がその文書への受信者の同意を検証する。その一方で、認証用署名が同意された文書が変更されていないことを立証する。受信者により提供された履行の証印が受信された文書画像の一部に埋込まれ、又は、送信者に戻すために文書画像に添付される。もし、履行の証印が文書に埋込まれるべきであれば、認証用署名を発生する計算が、受信者の履行の証印が埋込まれるべき文書の部分を避けるように工夫される。さらに、もしも認証用署名が、受信者により最初に伝送された文書のために発生されると、文書の内容に同意したことを示す履行の証印も含められる。そのような例で、履行の証印は認証用署名に暗号化され、署名者を検証し、受信者を検証し、履行された文書画像が変更されていないことを検証するための安全手段も提供する。
【００１３】
他の側面に基づいて、本開示のシステムと方法は、文書の部分に対する認証用署名の要素を発生し、認証用署名をする一ページを形成するために選択肢として認証用署名の要素を組立てる。例えば、送信装置が伝送された文書の各ページ、又は、伝送されたページの一部に対して認証用署名の要素を発生しうる。もし、文書の部分が修正された場合、その修正された部分又はページを、最初の送信者が発生した認証用署名の要素と比較することにより検出される。代わりに、又は、追加して、複数のページ、一ページ又は一ページの部分のような文書の部分を認証から除外しうる。この概念は意図的に修正した、伝送された電子文書の部分の代わりに、文書内容の部分的認証に焦点を置く。例えば、文書内容の一部を認証用署名を生じる認証目的には使用しない。例えば、余白を認証用署名の計算から除外し、ファクシミリで伝送された文書の余白に生じる違いが認証プロセス又は機能に影響を与えない。ファクシミリで伝送された文書の特定領域を認証用署名を発生するプロセスから除外又は排除することで、認証用署名をもっと柔軟で強固なものにする。特に、ファクシミリで伝送された文書がしばしば伝送の結果として意図的に修正されるからである。意図的修正の一例は、受信された文書の余白に送信用ファクシミリ装置に関連した情報の追加で観察される。この修正はファクシミリ文書の発信源を示すために便宜的に用いられ、ファクシミリ文書の発信源を示し、及び、認証用署名発生プロセスから修正領域を除外することで、認証用署名を一貫して発生できる。
【００１４】
本開示の別の側面に基づき、送信又は受信の装置が、領域ごとの署名の要素又は伝送された又は受信された文書のための署名用ページを発生する。領域ごとの署名の要素又はページは、領域の内容が変更及び特定領域の画像内容が変更されたときを示す。
【００１５】
一機能に基づき、本開示は、文書の伝送に基づき、文書を認証するためのシステムと方法を提供する。認証は、伝送から別個に利用できる又は伝送内に含まれる認証用署名の形をとれる。認証用署名は文書の伝送と共に提供される追加のページの形になる。又は、伝
送された文書の未利用部分で供給しうる。例えば、認証用署名は、送信者又は受信者の装置又はその両方で伝送された文書に組込まれた記号又はコードの形としうる。文書自体は伝送前又は伝送中に電子形式に変換されるハード・コピー文書である。代わりに、又は、追加的に、その文書は電子形式内に存在し、文書の最初の形式である。即ち、文書のハード・コピーは送信者又は受信者で作られる必要はない。さらに、受信した文書は電子形式で保持され、ハード・コピーを作成しない。従って、認証用署名は送信者又は受信者の装置で電子文書上に形成しうる。
【００１６】
他の側面に基づき、本開示は、一文書に対して導入ページ及び後部の認証用署名ページを提供している。導入ページには文書のページ又は部分を走査するための機械で発生させた及び／又は機械が読み取れる指示書を含める。その指示書は走査又はファクシミリ伝送パラメーターを設定又は調節する。導入ページと署名ページは、チェックサムを含み、受信用ファクシミリ装置で受信し、伝送された文書の真のコピーを検証するために合致させる。
【００１７】
本開示の機能に基づき、ファクシミリで伝送された文書の最初と最後のページは伝送された文書にそれぞれ前付けと後付けになっている。伝送された又受信された文書の違いは最初と最後のページの内容を点検することにより特定される。
【００１８】
開示されたシステムと方法の適用には、当事者がファクシミリで伝送された文書の認証を行いたい環境を含める。一例は、ファクシミリ・サーバーがファクシミリ伝送ごとに電子的に署名するファクシミリ・サーバーである。他の例はファクシミリ・サーバーによるような注文の受取りの確認である。
【００１９】
本発明の特徴は添付図面と関連して以下に詳細に説明されている。
【発明を実施するための最良の形態】
【００２０】
本開示に基づいて、ファクシミリの伝送を検証するためのシステムと方法を提供する。検証は文書の特定内容のみの代わりに、文書の伝送に部分的に基づいている。この説明で、文書は、ファクシミリ装置間で伝送可能な画像に関連した情報を意味するために用いられる。この利用には、紙又はハード・コピーの走査から得られた画像又は画像の一部が含まれていて、伝送の前、間又は後で、省略、切除、凝縮、膨張、又は添付を行なえる。この利用で、対応する最初の紙を持たない電子の形式、文字又は図形も想定している。
【００２１】
本開示で示されたシステムと方法は、ファクシミリ伝送システムにユニークで、送信者はファクシミリ又は元の文書の電子画像を伝送する。そして、典型的には文書の元のハード・コピーを保持する。電子的形式のファクシミリ文書が、後での認証で用いるために、１以上の送信者又は受信者により記憶又は保存される。本開示のシステムと方法がファクシミリの受信装置で発生して受信された電子文書の変更を含めて伝送された情報の検証に関連したいくつかの問題を扱っている。例えば、受信したファクシミリ文書が受信後に変更されていないことを検証することを送信者が希望することがある。さらに、送信者又は受信者が、受信したファクシミリが送信者のファクシミリ装置から送られていることを検証することを希望することがある。本開示のシステムと方法が逆の状況も扱える。この場合、ファクシミリの受信者が受信されたファクシミリが変更されていないことを送信者に証明することを希望することがある。さらに、ファクシミリの送信者又は受信者が、ファクシミリ文書が受信者のファクシミリ装置に到着したことの検証を希望することがある。これらの問題がすぐに適用できる事例には、ファクシミリで伝送した注文書、契約書、合意書、出版サービス等を含む。
【００２２】
ここで、図１Ａを参照すると、ファクシミリ通信システム４０の略図が示されている。
システム４０は、通信リンク４１上でファクシミリ文書の送信と受信をするために、２台の相補形ファクシミリの装置４２、４３を含んでいる。通信リンク４１は、無線、光ファイバー、伝統的電話線、又は、種々のタイプの通信媒体の組合わせを含む通信に用いられる典型的物的媒体を通じて形成される。装置４２、４３が伝統的電話回線、ローカル・エリア・ネットワーク（ＬＡＮ）又はワイド・エリア・ネットワーク（ＷＡＮ）の要素も形成しうるので、電子装置の回線網内でファクシミリ文書を送信でき、又は、受信できる。例えば、装置４２はＬＡＮの一部として、電子形式の文書を電子装置からファクシミリ装置４３に、又は、ファクシミリ装置４３に接続された電子装置に伝送するために、ＬＡＮの一部として装置４２はＬＡＮ内の電子装置から指令を受ける。
【００２３】
装置４２、４３はいくつかのタイプのプロトコールを用いて通信しうる。プロトコールは通信リンクに用いられる物的媒体又は接続性のような通信リンクの特性による。多種の物的媒体を有する通信リンクの通常事例は交換網である。交換網は公衆交換電話網（ＰＳＴＮ）又はインターネット・プロトコール（ＩＰ）ネットワークのようなデジタル・パケット交換網の形をとる。交換網はユーザー又は装置４２、４３が利用できる無線、光ファイバー、同軸ケーブル、ツイストペア等のような、いくつかの又は異種の物的媒体を有する。装置４２、４３は典型的に利用できる物的媒体を通じてネットワークに接続するためのプロトコールを有している。物的媒体のプロトコールに加えて、装置４２、４３は通信リンクを設定し、その通信リンク上で情報を送信し、又は、受信するための伝送又は通信のプロトコールを有している。装置４２、４３のために利用可能な種々のプロトコールが、ＰＳＴＮ又はＩＰネットワークのようなアナログ電話線、デジタル電話線、交換網を利用できる。例えば、装置４２、４３はアナログ電話回線上で通信でき、国際電気通信連合・電気通信標準化部門（ＩＴＵ−Ｔ）の勧告Ｔ．３０、Ｔ．３又はＴ．４を含むグループ２又はグループ３通信規格に適合している。デジタル電話回線の場合、装置４２、４３は、ＩＴＵ−Ｔ勧告Ｔ．６、Ｔ．６２、Ｔ．５０３、Ｔ．５６３又はＴ．６１１その他のようなグループ４の標準を用いて通信しうる。
【００２４】
ＩＰネットワークのような交換網の場合に、ファクシミリ装置４２、４３はリアルタイム又は蓄積転送方式で通信しうる。典型的に、リアルタイム方式はボイスオーバーＩＰ（ＶｏＩＰ）を利用して、ＩＰネットワーク上に音声流を送信する。例えばＳＩＰ（Ｓｅｓｓｉｏｎ  Ｉｎｉｔｉａｔｉｏｎ  Ｐｒｏｔｏｃｏｌ）、ＩＡＸ（Ｉｎｔｅｒ−Ａｓｔｅｒｉｓｋ  Ｅｘｃｈａｎｇｅ）及びＩＴＵ−Ｔ勧告に基づくＨ．３２３が利用される。この種の環境では、典型的に、コーデックが音声流をＶｏＩＰのためのデジタル形態に変換する。ＩＰ上リアルタイム・ファクシミリ（ＦｏＩＰ）に提供するプロトコールのひとつが、Ｕｓｅｒ  Ｄａｔａｇｒａｍ  Ｐｒｏｔｏｃｏｌ（ＵＤＰ）又はＴｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ（ＴＣＰ／ＩＰ）に基づくリアルタイム・モードのメッセージ用のＩＴＵ−Ｔ  Ｔ．３８標準である。ファクシミリ・サービス又はプロトコールに基づくｒｅａｌ−ｔｉｍｅ  ｍｏｄｅ  Ｔ．３８  ＩＰがＴ．３０  ｆａｃｓｉｍｉｌｅ  ｐｒｏｔｏｃｏｌをＩＰネットワーク上に配置する。交換網上でファクシミリ・データの流れを伝送するためにＴ．３８サービスがＳＩＰ、ＩＡＸ、Ｈ．３２３のようなＶｏＩＰプロトコールをサポートする。
【００２５】
蓄積転送方式では、装置４２、４３は、ファクシミリ・データを記憶し、送信するＦｏＩＰゲートウエーを通じて通信する。各ＦｏＩＰゲートウエーが伝送されたファクシミリ・データの画像を記憶し、Ｓｉｍｐｌｅ  Ｍａｉｌ  Ｔｒａｎｓｆｅｒ  Ｐｒｏｔｏｃｏｌ（ＳＭＴＰ）又は他の伝送機構を用いて、他のＦｏＩＰゲートウエーにデータを送信し、そこで、その画像の符号解読をし、受信者が利用できるようにする。この方式のタイプはＥ−メール・メッセージが用いているものに類似している。
【００２６】
ファクシミリ装置４２、４３はそれぞれ記憶要素４４、４５を含む。それは、対応する
ファクシミリ装置により伝送され、又は、受信される文書又は画像を記憶できる。記憶部４４、４５は大規模記憶要素から成り、記録の維持、バックアップ又は規制要件への適合を含む目的のために大量の画像情報を記憶する。例えば、記憶部４，４５は各ファクシミリ装置４２、４３で送信又は受信された全てのファクシミリの文書又は画像の記録を保存しうる。さらに、ファクシミリ装置４２、４３は保存又は伝送のためにハード・コピー文書の走査を行なえて、受信したファクシミリ情報又は記憶部４４、４５で発見され、記憶されている情報に基づいてハード・コピー文書を作成できる。この方法で、ファクシミリ装置４２、４３は多くの異なる用途を有し、文書の走査、画像の保存、さらに、文書又は画像の伝送又は受信を含む。ファクシミリ装置４２、４３は、文書画像の保存又は検索及びファクシミリの伝送と受信を制御するためのソフトウエア及び（又は）ハードウエアを含む。
【００２７】
本開示の一側面に基づき、１以上の記憶部４４、４５が装置４２又は４３への追加要素になっている。記憶部４４又は４５がメモリー又は保存の追加のために拡張可能であり、機能の追加を行なえる。例えば、記憶部４４、４５は通信リンク４１に送られた又は受信された情報を検出し、観察する要素から成っている。そのような機能で、記憶部４４、４５が、電子署名又は署名用ページを記憶又は発生するために、アナログの通信リンクからデジタル形式に情報を変換するような機能を果す。追加の要素は、装置４２、４３と平行して機能する。又は、装置４２、４３の動作機能に組込まれている。検出及び記録の追加要素を装置４２、４３に提供することにより、例えば、アナログ技術を用いた既存の機器を、文書保持規則の要件又は企業ポリシーのような他の保持ポリシーに適合させることができる。
【００２８】
リアル・タイムのファクシミリ伝送のために、ファクシミリ装置４２、４３は典型的にファクシミリ通信のために情報を交換するように既存の通信プロトコールを用いて、通信リンク４１の上に、通信チャンネルを設定する。例えば、上記のように、ＳＩＰサポート付のセッションを開始することにより、ファクシミリ装置４３により通信リンクを設定するために、ファクシミリ装置４２は、ＩＰネットワークのようなパケット（ｐａｃｋｅｔ）交換網上でコールを開始しうる。セッション開始には、パケット交換網上のコールに参加するために招待と承認を含める。典型的に、セッション開始には、ＳＩＰサポートにより、送信者と受信者の間でＩＰメッセージを伝送するプロキシ・サーバーが関与する。セッション開始中に送信者と受信者の間で種々のメッセージを伝送しうる。例えば、ファクシミリ装置４２は、使用中の伝送プロトコールの動作速度、容量、タイプ等のような伝送パラメーターについてファクシミリ装置４３に問い合わせられる。ファクシミリ装置４３はファクシミリ装置４２に、ファクシミリ通信情報を提供し、さらに、ファクシミリ伝送に関連するパラメーターについての情報問い合せを生じる。１以上のプロキシ・サーバーがパラメーター情報の一部又は全部を記憶しうる。典型的に、ファクシミリ装置４２、４３が共通のパラメーターとプロトコールの協議を行い、ファクシミリ情報の伝送を開始する。
【００２９】
プロキシ・サーバーを通して送信者から受信者にメッセージを送るのに用いられる種々のモードの暗号化を、ＳＩＰサポートが提供している。例えば、ＳＩＰサポートは、ＳＩＰメッセージ本体及び特定感度のヘッダー領域の終端間暗号化を可能にしている。ホップ・バイ・ホップの暗号化はだれがだれをコールしているかを追跡する盗聴を防止する。そして、ＶＩＡ領域のホップ・バイ・ホップ暗号化は請求が行われたルートを隠す。さらに、ＳＩＰサポートがＨＴＴＰ基本版とダイジェスト版を用いて認証を行う。それで、請求源に対する初歩的認証を行なえる。ＰＧＰ認証もＳＩＰサポート・モデルで利用できて、送信者を各パケット内で中継された情報に基づいて認証できる。従って、ＳＩＰサポートが輸送パケットに対する暗号化と認証のサポートを行うけれども、送られている全体的なメッセージ又は文書の認証に対してサポートされた機能は無い。
【００３０】
開示されたシステム及び方法の実施例は、ファクシミリ情報の伝送又は受信に関連した局部的又は全体的な伝送の認証情報を発生するようにファクシミリ装置４２、４３に指令するためのソフトウエア及び（又は）ハードウエアを提供している。例えば、認証情報は装置４２、４３の一方のみで、両方で、又は、装置４２、４３の両方からの情報を順番に用いたようなお互いとの関連で発生しうる。認証は物的媒体及びプロトコールと無関係な場合も関係する場合もある。さらに、認証情報はファクシミリ情報に組込まれる記号の形としうる。例えば、記号は、余白のような文書の不使用部分に配置される。認証情報は、印刷しない又は表示されないコードのような文書自体に埋込まれることもある。そのような場合、文書は「自己認証」に構成でき、文章中の認証情報を用いて文書自体を検証する。認証情報はセキュリティ目的で、又は、情報源の身元認定を行うために暗号化することがある。
【００３１】
実施例で、送信装置として機能するファクシミリ装置４２は、通信リンク４１上を送られた伝送に基づいて送信装置が認証情報を発生する。認証情報はここで「署名用ページ」として述べているように、元のファクシミリ文書に添付されたページの形としうる。署名用ページには文書の伝送と内容に関連する情報を含められる。それは後の検証で用いるために、確立された計算を用いて符号化される。署名用ページはファクシミリ装置４２で単独に生じうる。そして、検証手段として送信者が入手しうる。代わりに、又は、追加的に、署名用ページを伝送文書と共にファクシミリ装置４３に伝送して、受信者も署名用ページのコピーを持つようにする。さらに、ファクシミリ装置４３は受信装置として、伝送文書の受取りと内容に基づいて署名用ページの発生もしうる。受信者の署名用ページは検証の目的で受信者に供給しうる。又は、別の検証試験目的のためにファクシミリ装置４２に通信リンク４１を通して伝送する場合のように、送信者に戻すことができる。どの場合でも、ファクシミリ装置４２、４３が、記憶部４４、４５から、又は、ハード・コピーの文書入力から描かれた電子文書の内容と伝送に基づいて署名用ページを発生し、又、署名用ページを伝送できる。
【００３２】
通信リンク４１が、アナログ電話回線、デジタル電話回線、ＰＳＴＮ接続、又は、ＶｏＩＰ又はＦｏＩＰリンクのようなポイント・ツー・ポイントのリアル・タイム専用リンクであるとき、一方向伝送の検証は、開示されたシステムと方法に基づいて、送信者、受信者又はその両方で認証情報を発生することにより容易に得ることができる。蓄積・転送モードでは、認証情報を伝送配列内の各リンクに対して発生できる。例えば、送信者から第一中間受信者へ伝送された画像には最初の署名用ページを含めることができる。画像が第一中間受信者から第二中間受信者に送られると、他の署名用ページを発生でき、伝送に添付できる。従って伝送配列内の種々のリンクには、ある個別リンク内で伝送された画像を受取ったことを検証する特定の署名用ページが含められる。最終送付先の受信者は、ファクシミリ伝送物が移動する経路上で署名用ページを発生した送信者を含む送信物の数を代表するいくつかの署名用ページを受取る。伝送物が通過する各ポイントが署名用ページを作る必要がない。追加的に、又は、代わりに、単一の署名用ページが画像伝送により伝送される。そして、伝送配列内の種々の中間受信者がその中間部に関連したパラメーターを用いて署名用ページを修正する。そのような構成で最終受信者が画像伝送物と単一の署名用ページを受取る。この構成で、中間部が受信した署名用ページに基づいて伝送を再検証し、通信リンク内の次の伝送ポイントに基づいて署名用ページを再発生する。伝送物を再検査する。最初の送信者に最終の署名用ページのコピーを与えて、伝送物を受取ったことと届けられた画像の内容を検証する。画像伝送物の最終受信者も、その情報が伝送された署名用ページに含まれているとき、最初の送信者の身元を検証できる。
【００３３】
図１Ｂに示す他の実施例に基づき、ファクシミリ通信システム６０が示されている。システム６０は、通信リンク６１を用いてファクシミリ文書を送信し、又、受信するファク
シミリ装置６２、６３を含む。ファクシミリ装置６２、６３は、ファクシミリ装置４２、４３と類似した動作をするが、上記を参照する。
【００３４】
システム６０に示す実施例で、認証装置６５はファクシミリ装置６２、６３と通信し、ファクシミリ装置６２、６３の間で伝送される情報に対して認証機能を提供する。例えば、認証装置６５はファクシミリ装置６２及び６３の間の情報伝送から得られる符号化された情報を含む署名用ページを発生する。認証装置６５には、例えば、余白のような文書の不使用部分内のような伝送された文書の一部に関する認証情報も含まれる。認証情報は、認証装置６５により文書にも埋込まれる。そのような場合に、埋込まれた認証情報は、文書に認証情報を与えるために電子画像の表示内に置かれた印刷不能又は非表示の符号による場合のように、画像を個別に見るのには見えないかも知れない。署名用ページのような認証情報又は認証情報を加えて伝送された情報のコピーを、記憶装置６６内に記憶できる。署名用ページ又は認証情報を、通信リンク６１への情報伝送の結果として、又は、記憶装置６６からの検索として、ファクシミリ装置６２又は６３に伝送できる。ファクシミリ装置６２、６３は、電子形態の情報又は文書を記憶するために記憶要素（図示せず）も含められる。ファクシミリ装置６２、６３は、最初の形態が電子形式である文書又は情報をも伝送し、又、受信しうる。そのような場合、認証情報も電子形式で記憶しうる。代わりに、又は、追加的に、ファクシミリで伝送された情報は、ハード・コピー形式に始まり、ファクシミリ装置６２、６３により電子形式に変換される。ハード・コピー文書は、スキャナー又はプリンターを用いて、例えば、ファクシミリ装置６２、６３内で送信又は受信される。
【００３５】
ここで、図２を参照すると、フローチャート１０は、送信するファクシミリ伝送装置で認証情報を発生するためのプロセスを示している。ブロック１２では、ハード・コピー文書が走査され、文書を電子形態に変換する。得られた文書画像をファクシミリ装置に位置しているメモリー内に記憶できる。又は、受信するファクシミリ装置に直接伝送した。ブロック１４で、走査された文書が受信装置に伝送される。
【００３６】
ブロック１２及び１４は伝送のために走査された文書を規定しているが、既に電子形式になっている画像は伝送のためのファクシミリ発信源として使用しうることは明らかである。例えば、電子形式の画像又は文書は、ワード・プロセッサーを用いて作成したテキスト文書又はＰＤＦ又はＴＩＦＦ形式文書のような画像タイプの文書を含むことがある。ワード・プロセッサーのプログラムはテキスト・ベースの電子文書をファクシミリ装置により伝送するための画像形式に変換するための内蔵ソフトウエアを含むことがある。ワード・プロセッサーは、ＰＤＰ又はＴＩＦＦのような適当な形式にテキスト文書を変換した後で、例えば、回線に接続したファクシミリ装置上にテキスト文書を直接送るためのソフトウエアを含むことがある。ブロック１６では、送信するファクシミリ装置で認証情報を発生する。ファクシミリ文書の伝送中に、又は、伝送プロセスの完了時に認証情報を発生できる。認証情報は署名用ページの形で発生しうる。そのページはファクシミリ文書の内容と伝送を検証するために送信者が利用できる。
【００３７】
ここで、図３を参照すると、フロー・チャート２０が本開示の動作シナリオを示している。認証情報をファクシミリ文書に加えて受信者に伝送する。ブロック１０は、図２に関連して論じているように、ファクシミリ文書の走査、伝送、その文書の伝送と内容から認証情報の作成を示している。ブロック２２は受信者に認証情報を伝送する動作を示している。認証情報は文書伝送に添付された署名用ページの形で示しうる。受信者は伝送された文書とその送られた文書の検証に使用できる添付された署名用ページを受信する。
【００３８】
ここで図４を参照すると、フロー・チャート３０が開示されたシステムと方法の別の実施例を示している。フロー・チャート３０が、図３に示すように、受信者向けの認証情報
の作成と伝送を示すブロック２０を含む。ブロック３２は受信者での認証情報の発生機能を示している。ブロック３２内の認証情報は、ファクシミリ文書の伝送と内容に基づいて、受信用ファクシミリ装置で発生された署名用ページの形としうる。署名用ページは受信者に送られ、又は、伝送の検証のために送信者に戻される。もし、署名用ページが、ファクシミリ文書と共に、送信用装置から送られた場合、受信用装置は、送信者からの署名用ページに関連した情報を含む署名用ページを発生できる。即ち、送信者の署名用ページ又は認証情報が、受信者で署名用ページを発生するための内容の一部を形成する。図１Ｂで示したように、認証情報は第三者が認証装置６５を用いて発生でき、かつ、その認証情報を記憶できる。又は、ファクシミリ装置６２、６３の間で伝送できる。この方法で、ファクシミリ装置６２、６３間の伝送は、例えば、ファクシミリ装置は認証装置６５で検証できる情報及び／又は署名用ページをエコー・バックすることにより認証しうる。
【００３９】
認証情報を発生するための上記の変更は例えば種々の事項発生に基づいて署名用ページを生じる。署名用ページはファクシミリ文書の伝送時に送信者のために発生しうる。署名用ページはファクシミリ文書の受信時に受信者のために発生しうる。送信者又は受信者はファクシミリ文書の伝送又は確認と共に、その相手に伝送すべき署名用ページを伝送又は発生しうる。
【００４０】
署名用ページ自体は、全体的文書のページとする必要が無いが、ファクシミリ文書の伝送及び（又は）内容に基づく認証用署名を電子的に発生する符号又は記号セットから成ることができる。認証用署名がファクシミリ文書自体の一部、例えば、予約された空所又は余白のような認証情報発生に用いない領域に添付できる。さらに、認証用署名は文書内に埋込まれているので、電子画像の表示内で印刷不能又は表示不能の符号を用いることにより実現しうる画像内で見えなくなっている。そのような埋込まれた認証用署名は文書を「自己認証」にできる。その場合、文書内の認証情報は文書自体の検証に使用される。署名用ページは、伝送されたファクシミリ文書の全体的部分に対する検証情報も代表することができる。例えば、認証情報は、別個の認証情報を発生するための文書ページの部分を定義することによるように、領域ごとに発生できる。そして、認証情報はファクシミリ文書のページのいくつかの部分を代表する。従って、一以上の認証用署名を伝送された単一のファクシミリ文書のために発生できる。
【００４１】
一文書が領域ごとに認証されているとき、特定の適用に対するいくつかの利点を利用できる。例えば、伝送された文書が領域ごとに認証されたとき、領域に対する変更を示すことができ、変更する領域を特定できる。領域別の認証が有用であると判明している一例は、例えば、バイオメトリック署名又はＰＩＣのような同意の証印を受信者が与えている契約又は合意を履行する場合である。この事例の適用で、送信者はファクシミリ通信リンク上で受信者に契約全体を送れる。受信者は送信者にファクシミリ文書の合意又は承認のための履行の証印を提供し、同じものを送信者に戻す。履行の証印は、符号化されたパスワード、手書き署名に基づくバイオメトリック署名、親指指紋、及び個人的同意を拘束する他の検証可能な証印を含むいくつかの形式をとりうる。バイオメトリック署名又はＰＩＣは、例えば、手書き署名の画像としうる。どんな場合でも、バイオメトリック署名又はＰＩＣは、伝送された文書画像の特定領域を占めていて、認証処理から除外できる。領域ごとの認証は戻された文書の内容と供給源を実証するように機能し、バイオメトリック署名又はＰＩＣが受信者により加えられた領域を除き、契約の内容の変更が無いことを送信者に保証する。
【００４２】
契約書伝送アプリケーションを適応させる他の技術は、履行の証印を有する領域の認証を避けることである。その領域は伝送された文書画像のページ又はページの部分として保留できる。送信者に戻された履行の証印を持つ文書は、当事者を確認するために供給源と内容について、又、契約の条文に変更が無いことを認証できる。
【００４３】
ファクシミリ文書の領域又は全体を認証するための技術の一例は、暗号を用いることである。例えば、ファクシミリ文書の内容と伝送を、暗号による符号化で使用でき、後で検証しても改ざん無しになる認証用署名を電子的に発生する。
【００４４】
図５を参照すると、プロセス５０は暗号を用いて電子的に発生した文書認証用署名を保護するために示されている。ブロック５２はファクシミリ文書の伝送と内容から得られる文書の署名を代表している。文書の署名は、暗号文書の署名５６を生じるために、文書の署名は暗号化機構５４により暗号化される。暗号化機構５４の一例は、公開・秘密のキー・ペアの機構である。例えば、送信者は秘密キーを用いて文書の署名を暗号化できる。一方、暗号解読機構５８は公開キーを用いて、暗号解読を行い、文章の署名５３を検証する。そのような機構を用いて、文書の署名５２が保護されているので、文書の署名５２と文書の署名５３の間の比較により、ファクシミリ文書への変更が明らかになる。文書の署名５２、５３も、潜在的改ざんに曝されることから保護される。さらに、秘密キーは暗号化機構５４の一部として、送信者のみが暗号化された文書の署名５６を発生できることを検証し、それにより、ファクシミリ文書の供給源を検証する。この検証機能は非拒絶機能を与えていて、送信者は文書の供給源、及び、伝送、さらに、文書の内容も否定できない。
【００４５】
暗号化機構５４の他の例はＰＧＰ（Ｐｒｅｔｔｙ  Ｇｏｏｄ  Ｐｒｉｖａｃｙ）である。それは、公開・秘密のキー・ペアに基づいて送信者と受信者の間でメッセージを暗号化して使用できる。この立場で、メッセージは一般的に送信者と受信者の間で伝送された情報を参照する。それには、例えば、蓄積転送形通信システム上で伝送されるファクシミリ情報を含む。ＰＧＰ暗号化は情報伝送中のメッセージ暗号化によりメッセージのプライバシーを与える。即ち、メッセージのボディ自体は、典型的に請求者が提供する公開キーにより暗号化されるので、暗号化したメッセージを受取った請求者は以前に送られた公開キーに対応する秘密キーを用いてその暗号解読を行なえる。しかしながら、例えば、受信した請求又は応答がメッセージ・ヘッダーの領域から決定されたように該当者から来たという請求の受信者には保証がない。ＰＧＰ暗号化の典型的利点は、近隣又は中間の伝送ポイントが請求又は応答を修正できないということである。ＳＩＰ請求又は応答内の関連分野が暗号化されていないと、領域間を検査するように、だれと通信しているかを見る立ち聞きが可能になる。ＰＧＰを用いて、これらのアドレス分野の暗号化を実現できる。しかし、一部の中間ポイント又は近隣部を無許可メッセージに戻させるかも知れない。例えば、領域内で失われた入力が求められる場合である。
【００４６】
暗号解読機構５８は、暗号化文書の署名５６の暗号解読をするために後の時刻及び日付で使用しうる。例えば、暗号化文書の署名５６を送信装置、受信装置、又は、中間部で、伝送と同時刻で、又は、後の時刻で、記憶される。暗号化文書の署名５６の暗号解読をできて、文書の伝送が行われた時より後の時刻で文書の署名５２、５３を検証できる。従って、暗号化された文書の署名５２、５３が、対応する文書の伝送が行われてから一定時間後に暗号解読を行うことにより記憶と検証を行なえる。
【００４７】
上記のように、暗号化文書の署名５６が発生すると、文章の署名５３を得るために、暗号解読機構５８を適用することにより、文書の署名５２の検証が得られる。検証プロセスにより、文書と伝送のパラメーターが有効であることを検証するために、文書の署名５２と文書の署名５３は一致すべきである。
【００４８】
情報のファクシミリ伝送に関連した種々のパラメーターが、いくつかの異なる技術に基づいて認証用署名に組込まれる。例えば、ファックス伝送は、しばしば、送信者と受信者の間の情報交換で始まる。交換された情報には、公開キー、時刻と日付の情報、利用できるプロトコール、当事者の身元確認（名前、及び／又はファクシミリ・電話番号等）が含まれる。例えば、交換された情報の一部は送信者により流された情報に関連した余白領域、時刻と日付のようなファクシミリで伝送された情報に組込まれる。この種のパラメーターのどれも、ファクシミリ伝送文書に組込まれた署名のページ又は署名の情報を形成するために使用される認証情報の発生に使用しうる。認証用署名に組込むために利用できるパラメーターはシステムのタイプにより異なる。例えば、ＩＰアドレスはＩＰパケット交換網上のリアル・タイム又は蓄積・転送タイプのシステムで使用しうる。一般的に、認証用署名は送信者と受信者を、又、メッセージを一意的に特定するためのファクシミリ伝送に関連した一意的特徴を特定するのに寄与する。認証用署名は伝送された画像の受信を検証し、かつ、１つ以上の伝送指令の中で画像の内容を検証する。
【００４９】
プロセス５０は暗号化された文書の署名を作成することと、暗号解読された文書の署名に基づいて文書の伝送と内容を検証し、比較することの両方の技術を説明している。プロセス５０は、局部的に暗号化された署名のページを発生するために送信装置で適用され、又は、伝送プロセスの一部として適用でき、その場合、暗号化された署名のページを発生し、又、選択肢として、受信装置に送られ、検証のために暗号解読される。さらに、プロセス５０は二方向の検証に適用される。その場合、暗号化された署名のページが受信装置に送られ、ファクシミリ文書の内容と伝送及び受信した署名のページに基づいて、それ自体の暗号化した署名のページを発生する。そして、両方の暗号化した署名のページを送信者に返す。この方法で、送信者と受信者の両方が特定のファクシミリ文書の伝送と受信に関連した検証情報を持つ。
【００５０】
上記検証技術の例示的変形が、送信と受信の装置が各装置の秘密キーで符号化されたトークンを交換するために示されている。例えば、送信装置が、現地時間と送信装置に関連し、送信装置の秘密キー又は受信装置の公開キーで暗号化された他のパラメーターを含むトークンを提供する。送信装置は送信装置の秘密キー又は受信装置の公開キーで暗号化される。受信装置は、受信装置の秘密キー又は送信装置からの公開キーを用いて暗号化した類似特性を持つトークンを作成する。一実施例では、暗号化は遠方の第三者が行なえる。そして、受信装置が両方のトークンを送信者に送り返す。この場合、それらは署名のページに挿入される。署名のページを送信者が保持でき、ファクシミリ文書により受信者に、又は、両方に送られ、又は、第三者により保持される。トークンの交換により受信者は受信装置でファクシミリ文書の受取りを拒否又は否定できない。従って、トークンの交換は送信者と受信者の身元確認に、又、それぞれが取引が生じたと信じる時刻の特定に貢献する。
【００５１】
本開示のシステムと方法によりファクシミリで伝送された文書の認証を確認するために、種々の技術を使用しうる。例示的な一技術は、送信装置から受信装置へ伝送されるデータの流れの符号化されたチェックサムを提供することである。いくつかのチェックサム計算が利用でき、知られているように用途別に作られる。符号化には、標準のバー・コード、二次元バー・コード例えばマトリックス又は積層バー・コード、英数字その他の記号、暗号化した記号等を含めることができる。暗号化には例えば秘密キーが含まれる。そして、発生した署名のページは、受信した画像の形でファクシミリ伝送データのチェックサムを計算し、次ぎに計算したチェックサムを記録した署名のページのチェックサムと比較することにより実証される。バー・コードのような機械で読み取れる符号を用いるひとつの利点はチェックサムを読み、かつ、符号解読をするためのファクシミリ装置のような走査装置の能力である。上記のように、チェックサムの計算が、領域別に、例えば、ファクシミリで伝送された文書の１ページの一部上で実施されることにより進められる。機械で読み取れる符号を、伝送された文書の各領域について計算された各チェックサムに対して、署名のページ上に提供しうる。領域は、文書全体、単一のページ、一ページの部分、単一ページの単一部分として規定できる。領域は、余白がチェックサム計算から除外されたページのように、文書から除外された部分でもある。
【００５２】
開示されたシステムと方法の例示的適用は、ファクシミリで伝送された文書の認定である。例えば、ファクシミリ・サーバーは、ファクシミリ文書を請求者に自動的に、又は、求められた時点で提供する。ファクシミリで伝送された文書を、認証用署名のページ上に設けられている認証用署名の利用により、内容に加えて、認証、開始のポイントと時刻として証明する。ファクシミリで伝送された文書の受信者は、送信装置が発生し、送ってきた署名のページに基づいて文書の内容を検証できる。
【００５３】
ファクシミリ・サービスを含む開示されたシステムと方法の別の用途は、一定の事象に対する時刻と日付のような情報の検証である。送信者はファクシミリ文書をそのサービスに伝送する。その場合、受信装置は受信した各ファクシミリ文書に電子的に署名する。受信した文書は認証情報を付けて、電子認証用署名を含むページのように送信者に送り戻される。この方法で、ファクシミリ・サービスが文書の認証、文書の起源及び受取った時刻と日付を証明する。そのような用途が、送付されたファクシミリ文書の承認は単純なイエスかノーの形で、開示されたシステムと方法が既知のシステムを上回る利点を示している。この用途の機能は、公開・秘密のキー・ペアのうちの送信者の公開キーを用いて受信したファクシミリ文書を暗号化するような暗号化を用いることにより改善される。送信者又は、文書の認証及び他の文書特性の裏付けをしたい他の当事者が戻されたファクシミリ文書と認証用署名のページの暗号解読をして、内容、時刻、日付等だけでなく文書の起源の身元を検証する。
【００５４】
本開示のシステムと方法に対する上記の用途は、例えば、一定の業界に適用しうる規則及び規定に法的に適合できる保存及び記憶のシステムとして適合しうる。ある業界では、そのような規則に適合している証明だけでなく、一定期間一定のファイリング又は文書保管のための規制要件を有している。開示されたシステムと方法が、規制要件に適合するために認証情報も提供することにより、文書保管の要件を満たす手段を提供している。規制適合用に記憶されたデータと記録は本発明に基づいて暗号化できるので、適合していることの証明は確実で、改ざんが無く、適合物件を一意的に特定しうる。上記の規制適合のシステムと方法の変形として、第三者の収納庫が開示されたシステム及び方法を利用して、いくつかの産業の保管所として機能し、その一方で、保存された情報へのアクセスを制限するのに使用できる記録保持と認証の確実性により紛争を避ける。
【００５５】
開示されたシステムと方法のための別の用途は、注文受注の確認に関する。ファクシミリ・サービスは、注文を含めて受取ったファクシミリ文書に基づく認証情報を含めて、認証用署名のページを発生する。認証情報は、時刻と日付のスタンプを含み、選択肢としてファクシミリ・サービスの秘密キーにより署名できる。ファクシミリ文書及び／又は認証のページが、郵便メール、Ｅ−メール、ファクシミリ伝送を含む利用可能な手段により送信者に戻される。そして、送信者は意図するファクシミリの装置又はサービスで注文を受取った時刻を確認するのに対応する公開キーを使用しうる。
【００５６】
本開示に基づくシステムと方法の実現に関係するいくつかの問題は開示の範囲内にあるとして想定されている。関連する問題の例には、文章、ページ又はページの部分の回転又はねじれだけでなく、種々のファクシミリのサービス又は装置の間の解像度の変化を受け入れるプロセス又は技術を含む。本開示は、走査動作に導入されたノイズ（ｎｏｉｓｅ）を扱う技術を想定している。それには塵埃又は他の暗くする物質、任意の方向のページ又は文書上の線の導入又は走査された文書又はページのゆがみ、のような画像走査の障害を含む。さらに、本開示は大きさの変化を扱うことを想定している。それは、異なる寸法の紙を有するファクシミリ装置で生じるような場合、書籍又は雑誌、穴開けパンチ（ｐｕｎｃｈ）、ステープル（ｓｔａｐｌｅ）等で綴じられているような事前決定されている形態を有する最初の文書のような場合である。
【００５７】
さらに、上記開示の修正及び変形をここで開示された革新的概念から逸脱せずに行われることは当業の通常技術者であれば想定できる。従って、添付された請求項の範囲及び精神による場合を除いて本発明を限定していると見るべきではない。
【図面の簡単な説明】
【００５８】
【図１Ａ−１Ｂ】本開示に基づく認証を伴うファクシミリ伝送システムのブロック線図である。
【図２】送信装置で走査された伝送文書から発生した認証を示す単純なフローチャートである。
【図３】以前に発生した認証情報の伝送を示すフローチャートである。
【図４】受信装置での認証情報の発生を示すフローチャートである。
【図５】本開示に基づく暗号プロセスのブロック線図である。
【図１Ａ】
2009543519.tif 000002
【図１Ｂ】
2009543519.tif 000003
【図２】
2009543519.tif 000004
【図３】
2009543519.tif 000005
【図４】
2009543519.tif 000006
【図５】
2009543519.tif 000007
【国際調査報告】
2009543519.tif 000008
2009543519.tif 000009